(57)【要約】【課題】  パネルゾーンを一体化して梁筋を予め組み付けた構成のフルＰＣ柱の設置に際し、それを効率的に吊り上げる。【解決手段】  少なくとも頭部両側に梁筋２ａが突出しているフルＰＣ柱１をクレーンにより吊り上げるに際し、それら梁筋の基端部を吊り支持点としてフルＰＣ柱を吊り上げる。そのための吊り治具４としては、クレーンにより吊り支持される吊りフレーム５に２対４本のワイヤ６の一端を連結し、それらワイヤの他端を１対２本の吊りビーム７の両端部に着脱自在に連結して、吊りフレームからワイヤを介して各吊りビームをそれぞれほぼ水平姿勢として互いにほぼ平行な状態で吊り支持した構成のものが好適に採用可能である。【選択図】      図１
2006057266.tif 000002
【特許請求の範囲】
【請求項１】
頭部に予め梁筋が一体に組み付けられていて少なくとも頭部両側に梁筋が突出しているフルＰＣ柱をクレーンにより吊り上げるに際し、前記梁筋の基端部を吊り支持点としてフルＰＣ柱を吊り上げることを特徴とするフルＰＣ柱の吊り上げ方法。
【請求項２】
請求項１記載の吊り上げ方法において用いる吊り治具であって、クレーンにより吊り支持される吊りフレームに２対４本のワイヤの一端を連結し、それらワイヤの他端を１対２本の吊りビームの両端部に着脱自在に連結して、前記吊りフレームから前記ワイヤを介して前記各吊りビームをそれぞれほぼ水平姿勢として互いにほぼ平行な状態で吊り支持し、フルＰＣ柱の両側にそれぞれ突出している梁筋の基端部をそれら吊りビームによってそれぞれ支持してフルＰＣ柱を吊り上げる構成としたことを特徴とするフルＰＣ柱の吊り治具。
【請求項３】
請求項２記載の吊り治具であって、各吊りビームを吊り支持している２本のワイヤのうちの片方の一端をチェーンブロックを介して吊りフレームに連結したことを特徴とするフルＰＣ柱の吊り治具。
【請求項４】
請求項２または３記載の吊り治具であって、各吊りビームの少なくとも一端部には床面上を転動可能なローラが取り付けられていることを特徴とするフルＰＣ柱の吊り治具。
【発明の詳細な説明】
【技術分野】
【０００１】
本発明は建物の施工法であるＰＣ工法に関わり、特にパネルゾーンまで予め一体化したフルＰＣ柱を設置するに際してそれを吊り上げるための方法、およびそれに用いる吊り治具に関する。
【背景技術】
【０００２】
周知のように、鉄筋コンクリート造の建物の施工に際して、柱や梁、スラブ等をプレキャスト（ＰＣ）化して予め製作したＰＣ部材を現場にて組み立てることで建物を構築するＰＣ工法がかねてより広く採用されており、たとえば特許文献１には中空柱型枠（ＰＣ型枠）としてのプレキャスト柱ユニットを用いる工法が開示され、特許文献２にはそれを吊り上げるための吊り治具が開示されている。  
【特許文献１】特開平１１−２４７４５０号公報
【特許文献２】特開平６−２９８４８７号公報
【発明の開示】
【発明が解決しようとする課題】
【０００３】
ところで、この種のＰＣ工法においては現場労務の軽減と工期短縮を充分に図るためにはＰＣ化を高度に進めることが好ましく、特に柱に関しては特許文献１に示されるようなＰＣ型枠を採用するよりはそれ自体がそのまま柱となるＰＣ柱を採用することが好ましく、さらにそのＰＣ柱としては、パネルゾーン（柱梁接合部）を現場にて後打ちする単なるＰＣ柱よりも、パネルゾーンまでも一体化して梁筋を予め組み付けておくフルＰＣ柱の採用がより好ましいと考えられる。
【０００４】
しかし、そのようなパネルゾーンまでも一体化したフルＰＣ柱を採用する場合には、従来一般のＰＣ型枠や、パネルゾーンを後打ちすることを前提とする単なるＰＣ柱の場合よりもその設置が困難であるという問題がある。
【０００５】
すなわち、従来一般のＰＣ型枠やＰＣ柱を設置する際には、特許文献１〜２に示されるようにそれらの側面に何らかの吊り金物を予め取り付けておき、その吊り金物にワイヤを掛けて吊り上げることが通常であるが、フルＰＣ柱の場合には側面に梁筋が突出していることからワイヤに梁筋が干渉することがあるのでそのような従来の手法をそのまま採用することができない場合がある。勿論、そのような吊り金物を側面に取り付けた場合には、それを最終的には撤去しなければならないし、撤去後には当然に補修が必要となるので、その点においても好ましいことではない。
【０００６】
また、従来の単なるＰＣ柱では側面にではなく上面に吊り金物を取り付けておくことも可能であるが、フルＰＣ柱ではそれも好ましくない。すなわち、従来の単なるＰＣ柱では、その上面に取り付けた吊り金物はパネルゾーンに後打ちされるコンクリート中に自ずと埋設されてしまうからそれを撤去するような必要はないのであるが、フルＰＣ柱の場合はその上面に上階のフルＰＣ柱の下面がわずかなクリアランスが確保されるだけでそのまま接合されることになるから、その吊り金物を撤去するか、あるいは上階のフルＰＣ柱の下面に吊り金物との干渉を避けるための凹部を形成しておくような対策が必要となり、いずれにしても単なるＰＣ柱の場合に比べて面倒な手間とそのための費用が必要となる。
【０００７】
なお、実開平６−５６３５２号公報には、ＰＣ柱の上面に突出しているネジ鉄筋に対してシャックルを着脱可能に取り付けるようにした特殊な吊り治具が開示されているが、これは柱主筋としてネジ鉄筋を採用した特殊なＰＣ柱を対象とするものであり、一般に適用可能なものではない。
【０００８】
上記事情に鑑み、本発明はパネルゾーンを一体化して梁筋を予め組み付けた構成のフルＰＣ柱を対象として、それを設置するに際して効率的に吊り上げることが可能な吊り上げ方法と、それに用いて最適な吊り治具を提供することを目的としている。
【課題を解決するための手段】
【０００９】
本発明の吊り上げ方法は、頭部に予め梁筋が一体に組み付けられていて少なくとも頭部両側に梁筋が突出しているフルＰＣ柱をクレーンにより吊り上げるに際し、前記梁筋の基端部を吊り支持点としてフルＰＣ柱を吊り上げることを特徴とする。
【００１０】
本発明の吊り治具は上記方法において用いるものであって、クレーンにより吊り支持される吊りフレームに２対４本のワイヤの一端を連結し、それらワイヤの他端を１対２本の吊りビームの両端部に着脱自在に連結して、前記吊りフレームから前記ワイヤを介して前記各吊りビームをそれぞれほぼ水平姿勢として互いにほぼ平行な状態で吊り支持し、フルＰＣ柱の両側にそれぞれ突出している梁筋の基端部をそれぞれ吊りビームによって支持してフルＰＣ柱を吊り上げる構成としたことを特徴とする。
【００１１】
本発明の吊り治具においては、各吊りビームを吊り支持している２本のワイヤのうちの片方の一端をチェーンブロックを介して吊りフレームに連結することが好ましく、また各吊りビームの少なくとも一端部には床面上を転動可能なローラを取り付けておくことが好ましい。
【発明の効果】
【００１２】
本発明の吊り上げ方法では、フルＰＣ柱の頭部に予め組み付けられている梁筋を吊り金物として機能せしめてその基端部に吊り治具を係合させ、そこを吊り支持点としてそのまま吊り上げることにより、フルＰＣ柱には従来一般のＰＣ型枠やＰＣ柱の場合のように格別の吊り金物を予め取り付けておいたりそれを最終的には取り外すような必要はなく、また梁筋の基端部に係合可能な吊り治具を用いることのみで何ら複雑な機構や操作を必要とせず、玉掛けおよび玉掛け外しも何ら面倒なく容易に行うことができ、極めて合理的であり有効である。
【００１３】
本発明の吊り治具は、フルＰＣ柱を自立させてその足元に吊りビームを配置し、その状態で吊りビームにワイヤを連結して吊り治具全体を吊り上げていくことのみで、吊りビームが自ずと梁筋に係合してフルＰＣ柱をそのまま吊り上げることができから、この吊り治具によれば玉掛けを床面において行うことができることになるし、逆の手順で玉掛け外しも床面において行うことが可能であり、したがって高所作業をなくして安全かつ効率的な作業が可能であり、上記方法に適用するものとして最適である。特に、吊りビームに連結する２本のワイヤの片方にチェーンブロックを設けておくことにより、そのチェーンブロックの操作により吊り姿勢の微調整を容易に行うことができる。また、吊りビームの少なくとも一端部に床面上を転動するローラを設けておくことにより、玉掛けおよび玉掛け外しの際に吊りビームが床面上を滑らかに移動可能であるので作業性に優れる。
【発明を実施するための最良の形態】
【００１４】
本発明の一実施形態を図１〜図３に示す。図１に示すように、本実施形態が対象としているフルＰＣ柱１はパネルゾーンを一体化してその頭部には予め３方向の梁筋２ａ、２ｂを組み付けたもので、梁筋２ａがこのフルＰＣ柱１の両側に突出しているとともに、その直交方向に梁筋３ａが突出しており、また上面には柱筋３が突出しているものである。本実施形態では、そのようなフルＰＣ柱１を吊り上げるに際して、図１に示す構成の吊り治具４を用い、その吊り治具４によってフルＰＣ柱１の両側に突出している梁筋２ａの基端部を吊り支持点として吊り上げるようにしている。
【００１５】
本実施形態の吊り治具４は、吊りフレーム５と、その吊りフレーム５から２対４本のワイヤ６によってそれぞれ吊り支持されている１対２本の吊りビーム７から構成されている。吊りフレーム５はフルＰＣ柱１の外形寸法よりもやや大きい矩形フレーム状のもので、角パイプ材等の鋼材がフレーム状に組まれてその上部にクレーンにより吊り上げるための主ワイヤ８が連結される連結具９が溶接され、下部の四隅には吊りビーム７を吊り支持するためのワイヤ６が連結される連結具１０が溶接されているものである。
【００１６】
吊りビーム７は、フルＰＣ柱１の幅寸法に相当する長さの鋼材からなるもので、図３に示すようにその両端部には上記のワイヤ６が着脱自在に連結される連結具１１が設けられ、両端部の下部には床面上を転動可能なローラ１２が取り付けられ、また上面および側面にはそれぞれ硬質ウレタンゴム等の緩衝材１３ａ、１３ｂが取り付けられているものである。
【００１７】
各吊りビーム７はそれぞれ上記の吊りフレーム５から２本のワイヤ６によりほぼ水平姿勢となるように吊り支持されるが、図１（ｃ）に示すように各吊りビーム７を支持している２本のワイヤ６のうち、吊りビーム７の一端側を支持する一方のワイヤ６ａは吊りフレーム５の連結具１０に直接連結されているのに対し、他端側を支持する他方のワイヤ６ｂはチェーンブロック１４を介して吊りフレーム７に対して連結されており、必要に応じてそのチェーンブロック１４の手鎖１４ａを操作して吊りビーム７の他端側を上げ下げすることにより吊りビーム７の姿勢を微調整できるものとされている。
【００１８】
上記の吊り治具４によりフルＰＣ柱１を吊り上げるには、図２（ａ）に示すようにフルＰＣ柱１を自立させておき、その上方から、各吊りビーム７の一端のみをワイヤ６ａにより支持した状態とした吊り治具４を降下させる。（ｂ）に示すように吊りビーム７の他端側のローラ１２が床面に達したら、吊りビーム７を横方向に移動させつつさらに降下させて（ｃ）に示すようにフルＰＣ柱１の足元に配置する。その際、ローラ１２が床面上を転動することで吊りビーム７の移動を容易にかつスムーズに行うことができる。そして、吊りビーム７をフルＰＣ柱１の側面に押し付け、吊りビーム７の他端にワイヤ６ｂを連結し、図１（ａ）、（ｂ）に示すように双方の吊りビーム７どうしをチェーン等の開き止め１５により連結する。
【００１９】
そのまま吊り治具４を上昇させていくと、吊りビーム７がフルＰＣ柱１の側面に沿って上昇していき、図１（ｃ）に示したようにそれが梁筋２ａの最下段の位置に達したらその時点で自ずと玉掛けがなされることになり、そのままフルＰＣ柱１を安定に吊り上げていくことができる。なお、吊りビーム７の側面には緩衝材１３ｂが取り付けられているので、吊りビーム７がフルＰＣ柱１の側面に沿って上昇していってもフルＰＣ柱１に傷が付くようなことはない。また、フルＰＣ柱１を吊り上げた状態でその吊り姿勢が傾いていたり不安定であったような場合には、床面からチェーンブロック１４の手鎖１４ａを操作することで吊り姿勢を安定な鉛直姿勢となるように微調整すると良い。
【００２０】
そのようにしてフルＰＣ柱１を吊り上げて設置位置に導いたら、上記と逆の手順により吊り治具４を取り外す（玉掛け外しを行う）。つまり、図２（ｃ）に示すように吊り治具４全体を降下させて吊りビーム７を床面まで下ろし、開き止め１５を外すとともに、各吊りビーム７からワイヤ６ｂを外し、吊りフレーム５を上昇させれば、（ｂ）に示すように吊りビーム７はローラ１２の転動により自ずと横方向に移動しつつ一端側が引き上げられて起き上がっていくから、（ａ）に示すように吊りビーム７をフルＰＣ柱１の上方位置まで退避させて次の作業に移れば良い。
【００２１】
以上のような吊り治具４を用いて以上のような手順で吊り上げ作業を行うことにより、フルＰＣ柱１には格別の吊り金物を設けておく必要がないのでその製作コストや製作手間を軽減できるし、玉掛け作業や玉掛け外し作業も上記のように床面での作業のみで極めて簡単かつ安全に行うことができ、したがってフルＰＣ柱１の設置に係わる作業時間の短縮と作業効率の向上、クレーン稼働率の向上、ひいては躯体工事全体の工期短縮や工費削減に大きく寄与することができる。
【００２２】
勿論、梁筋２ａのフルＰＣ柱１に対する組み付け強度は、従来のＰＣ型枠やＰＣ柱に対する通常の吊り金物の取り付け強度に比べて当然に遙かに高いものであり、その梁筋２ａを吊り金物として利用することには何ら支障はないばかりか、吊り上げ時の安全性と信頼性をより高めることができる。ただし、吊りビーム７が梁筋２ａの基端部から先端側にずれてしまうと梁筋２ａが撓んで安定に吊ることができないことも想定されるから、それを防止するために、上記のように吊りビーム７をフルＰＣ柱１の側面に押し付けておき、かつ双方の吊りビーム７をチェーン等の開き止め１５により連結して、吊り支持点が確実に梁筋２ａの基端部となってそこからずれることがないように留意する必要はある。
【００２３】
なお、本実施形態の吊り治具４では、吊りビーム７の上面に緩衝材１３ａを取り付けているので、フルＰＣ柱１を吊り上げた状態では梁筋２ａがその緩衝材１３ａに食い込んでしまって吊り支持点がずれる懸念はほとんどない。また、吊りビーム７が支持する各梁筋２ａ（下端筋）は図示しているように横一列に同レベルで設けられていることが通常であるので、通常はそれらの梁筋２ａの全てに均等に吊り荷重がかかることになるが、それら梁筋２ａの位置が上下方向に多少のずれがあったとしても、上記のような緩衝材１３ａを取り付けておくことで多少の位置ずれは緩衝材１３ａの変形により吸収することができ、したがって特定の少数の梁筋のみに吊り荷重がかかってしまうようなことを有効に防止することができる。
【００２４】
以上で本発明の一実施形態を説明したが、上記実施形態はあくまで一例に過ぎず、本発明は吊り上げ対象のフルＰＣ柱の形態や寸法、重量等を考慮して、具体的な作業工程や吊り治具の具体的な構成については様々な設計的変更が可能であることはいうまでもない。たとえば、本発明の吊り上げ方法には上記実施形態の吊り治具４を用いることが最適であるが、それに限るものでもなく、梁筋の基端部を吊り支持点として吊り上げることができるものであれば他の吊り治具を採用することを妨げるものではない。また、本発明の吊り治具４には上記実施形態のようにチェーンブロック１４やローラ１２を備えておくことが好ましく、また吊りビーム７には緩衝材１３ａ、１３ｂを取り付けておくことが好ましいのであるが、それらが不要であれば省略して差し支えなく、特にローラ１２は上記実施形態のように吊りビーム７の両側に設けることに代えて片側（玉掛け、玉掛け外しの際にワイヤ６ｂが着脱されて床面上を転動する側）にのみ設けることでも充分である。
【図面の簡単な説明】
【００２５】
【図１】本発明の実施形態である吊り上げ方法および吊り治具を示す図である。
【図２】同、玉掛けの作業手順を示す図である。
【図３】同、吊り治具における吊りビームの構成を示す図である。
【符号の説明】
【００２６】
１  フルＰＣ柱
２ａ  梁筋
４  吊り治具
５  吊りフレーム
６（６ａ、６ｂ）  ワイヤ
７  吊りビーム
１２  ローラ
１３ａ、１３ｂ  緩衝材
１４  チェーンブロック
１５  開き止め（チェーン）
【図１】
2006057266.tif 000003
【図２】
2006057266.tif 000004
【図３】
2006057266.tif 000005